(57)【要約】【課題】高圧のコンプレッサを用いて封入時間の短時間化を図ると共に、空気封入時に破損を抑制できる信頼性の高い気体封入式構造体を提供すること。【解決手段】気体が封入される袋状本体と、この袋状本体の所定箇所に形成された吹込み口と、を備えた気体封入式構造体であって、袋状本体の内部に、吹込み口の周囲を囲って内部に延びる吹込み口囲い部材を設けた。【選択図】図１
2007164012.tif 000002
【特許請求の範囲】
【請求項１】
気体が封入される袋状本体と、この袋状本体の所定箇所に形成された吹込み口と、を備えた気体封入式構造体であって、
前記袋状本体の内部に、前記吹込み口の周囲を囲って内部に延びる吹込み口囲い部材を設けた、
ことを特徴とする気体封入式構造体。
【請求項２】
前記吹込み口囲い部材は、前記吹込み口の周囲に一端が固着された所定の長さを有する筒状体である、ことを特徴とする請求項１記載の気体封入式構造体。
【請求項３】
前記吹込み口囲い部材の他端が、前記袋状本体が膨らんだ状態のときに内部にて対向する当該袋状本体の内壁に当接しないよう前記吹込み口囲い部材の長さを設定した、ことを特徴とする請求項２記載の気体封入式構造体。
【請求項４】
筒状体である前記吹込み口囲い部材の周囲に、当該吹込み口囲い部材に外部から所定の押圧力がかかった際に筒状を維持するよう当該吹込み口囲い部材自体を補強する補強部材を設けた、ことを特徴とする請求項２又は３記載の気体封入式構造体。
【請求項５】
前記補強部材は、筒状体である前記吹込み口囲い部材の長手方向に沿って相互に対面して設けられた一対の板状部材である、ことを特徴とする請求項４記載の気体封入式構造体。
【発明の詳細な説明】
【技術分野】
【０００１】
本発明は、気体封入式構造体にかかり、特に、大量の気体を封入して膨らます気体封入式構造体に関する。
【背景技術】
【０００２】
従来より、ビニール製の気体封入式構造体（以下、「バルーン」という）が種々の用途に用いられている。例えば、店頭広告としては、バルーンの外面に宣伝対象となる商品名などが印刷などによって表示されており、下端に重りが装備され、店頭に立設して配置される。また、バルーンは、ビーチボールや浮き輪などの玩具として用いられることもある（特許文献１参照）。
【０００３】
そして、バルーンに空気を封入して膨らます際にはコンプレッサが用いられることがある。特に、バルーンの形状が大きく、大量の空気を封入しなければならない場合には、コンプレッサの使用は必須となる。
【０００４】
【特許文献１】特開平９−２８９３５号公報
【発明の開示】
【発明が解決しようとする課題】
【０００５】
しかしながら、コンプレッサで高圧な空気を吹き込むと、バルーン本体を形成する生地（例えば、ビニール生地）のうち、空気吹込み口の周囲に位置する部分に亀裂などの損傷が生じることが実際に確認されている。これは以下に説明する理由による。まず、バルーン自体に空気が封入される前には、バルーン本体を形成するビニール生地同士が張り付いた状態になっている。かかる状態でコンプレッサから高圧な空気を吹き込むと、空気吹込み口周囲には高速に空気が流入するため、ベルヌーイの定理により低圧となる。このため、相対するビニール生地同士が吸い付く現象が生じ、当該ビニール生地同士が擦れあうこととなる。すると、上記擦れによってビニール生地に亀裂が生じたり、さらには、摩擦熱によってビニールが軟化すると共に封入された空気の圧力によって孔が生じるなど、破損しうる。
【０００６】
このため、本発明では、上記従来例の有する不都合を改善し、特に、高圧のコンプレッサを用いて封入時間の短時間化を図ると共に、気体封入時に破損を抑制できる信頼性の高い気体封入式構造体を提供することをその目的とする。
【課題を解決するための手段】
【０００７】
そこで、本発明の一形態は、気体が封入される袋状本体と、この袋状本体の所定箇所に形成された吹込み口と、を備えた気体封入式構造体であって、袋状本体の内部に、吹込み口の周囲を囲って内部に延びる吹込み口囲い部材を設けた、ことを特徴としている。そして、吹込み口囲い部材は、吹込み口の周囲に一端が固着された所定の長さを有する筒状体である、ことを特徴としている。さらに、吹込み口囲い部材の他端が、袋状本体が膨らんだ状態のときに内部にて対向する当該袋状本体の内壁に当接しないよう吹込み口囲い部材の長さを設定した、ことを特徴としている。
【０００８】
上記発明によると、まず、吹込み口からコンプレッサにて気体を吹き込むことによって、かかる気体が吹込み口から吹込み口囲い部材を通過して、袋状本体内部に封入される。このとき、コンプレッサから吹き込む気体が高圧である場合には、吹込み口囲い部材にて囲まれた空間を通過する際に高速に流入し、かかる空間が低圧になることから、吹込み口囲い部材同士が近接し、張り付いたり、擦れ合う場合が生じうる。すると、吹込み口囲い部材に擦れ傷が生じるなど、損傷しうる。一方で、吹込み口囲い部材を通過した気体は、かかる吹込み口囲い部材を通過することで流速が弱められるため、袋状本体に上記現象が生じることなく、損傷することは無い。従って、高圧のコンプレッサを用いて短時間にて気体を封入することができると共に、気体封入時における袋状本体の破損を抑制することができる。そして、吹込み口囲い部材を、筒状に形成したり、内対壁に当接しない長さに形成することで、確実な気体の封入を実現できる。
【０００９】
また、上記構成に加え、筒状体である吹込み口囲い部材の周囲に、当該吹込み口囲い部材に外部から所定の押圧力がかかった際に筒状を維持するよう当該吹込み口囲い部材自体を補強する補強部材を設けた、ことを特徴としている。そして、補強部材は、例えば、筒状体である吹込み口囲い部材の長手方向に沿って相互に対面して設けられた一対の板状部材である。
【００１０】
これにより、吹込み口囲い部材の周囲に設けられた、長手方向に沿って相互に対面する一対の板状部材などの補強部材により、筒状体である吹込み口囲い部材が補強される。そして、袋状本体から気体を抜く際には、吹込み口囲い部材の周囲にかかる圧力によって筒状体の空洞部が塞がれる可能性があるが、上述した補強部材を設けることによって、気体を抜く際にも空洞部が塞がれずに、確実に気体を抜くことが可能となる。従って、気体封入式構造体の使用後の収納も容易となる。
【発明の効果】
【００１１】
本発明は、以上のように構成され機能するので、これによると、コンプレッサを用いて短時間にて気体を封入することができると共に、気体封入時における袋状本体の破損を抑制することができ、低コストにて気体封入式構造体の信頼性の向上を図ることができる、という従来にない優れた効果を有する。
【発明を実施するための最良の形態】
【００１２】
本発明は、気体封入式構造体の吹き込み口の内側に吹込み口囲い部材を設け、吹き込まれた高圧の気体を、直接、袋状本体に当てさせないようにすることに特徴を有する。以下、実施例にて詳述する。
【実施例１】
【００１３】
本発明の第１の実施例を、図１乃至図３を参照して説明する。図１は、バルーンの構成を示す斜視図であり、図２は、その一部の断面図である。また、図３は、バルーンに空気を封入するときの様子を示す部分断面図である。
【００１４】
本実施例における気体封入式構造体は、図１に示すように、店頭などに展示される広告塔としてのバルーン１である。但し、本発明における気体封入式構造体は、図１に示す形状や広告塔としてのバルーンに限定されるものでなく、ビーチボールや浮き輪、ボートなど、いかなる用途に利用されるものであってもよい。また、気体封入式構造体は、空気以外の気体を封入するものであってもよい。
【００１５】
［構成］
図１に示すように、バルーン１は、空気が封入され外形を形成する袋状本体１１と、この袋状本体１の所定箇所に形成された吹込み口１２と、を備えている。そして、図示しないが、バルーン１の下部には重りが装備されており、立設させることが可能である。また、外面には、広告宣伝内容が印刷などにより表示されている。
【００１６】
そして、袋状本体１１は、例えば、ビニール生地で形成されており、封入された空気を一定時間、内部に留めておくことができる。但し、袋状本体１１は、いかなる素材にて形成されていてもよい。また、吹込み口１２は、略円筒形状に形成されており、外部に突出可能であり、その付け根には、袋状本体１１内部に封入された空気が吹込み口１２から外部に流出しないよう塞ぐ弁が設けられている。また、吹込み口１２の先端には、当該吹込み口１２自体に挿抜自在な栓が装着されている。
【００１７】
そして、バルーン１には、さらに、袋状本体１１の内部に、ビニール生地で形成された略円筒状の吹込み口囲い部材１３が、吹込み口１２の内側の周囲に固着されて備えられている。ここで、図２に、吹込み口１２付近の部分断面図を示す。なお、この図においては、吹込み口１２が外部に突出した状態を示す。
【００１８】
図２に示すように、吹込み口囲い部材１３は、円筒状の部材が吹込み口１２の周囲を囲い、その中空部分の中心が吹込み口１２の中心とほぼ一致するよう設けられている。そして、所定の長さを有し、他端が袋状本体１１の内部に延びるよう形成されている。ここで、その長さは、図１に示すように、袋状本体１１内部に空気が封入され膨らんだときに、他端が対向する袋状本体１１の内壁に当接しないよう形成されている。
【００１９】
なお、上記では、吹込み口囲い部材１３の形状が円筒形状である場合を説明したが、かかる形状に限定されない。また、吹込み囲い部材１３の素材も上述したものに限定されない。
【００２０】
［動作］
次に、上述したバルーン１に空気を封入する際の動作を、図３を参照して説明する。まず、図示しないが、つぶれた状態のバルーン１に対して、その吹込み口１２から内部にノズル２２を差し込む。このとき、ノズル２２の先端が、内部の吹込み口囲い部材１３にまで到達するよう差し込む。但し、吹込み口囲い部材１３の他端付近、あるいは、当該囲い部材１３を通過してしまうほどにまで差し込まないことが望ましい。その後、ノズル２２に接続されたコンプレッサ２１（空気吹込み手段）から空気を吹き込む。
【００２１】
すると、吹込み口１２から空気が吹き込まれるが、まずは、吹込み口囲い部材１３内に吹き込まれる。つまり、コンプレッサから出力された高圧の空気が、吹込み口囲い部材１３内部に出力される。すると、空気は吹込み口囲い部材１３にて囲まれた空間を高速で通過することから、当該吹込み口囲い部材１３内は低圧になる。このため、吹込み口囲い部材１３の中空部が塞がるよう、吹込み口囲い部材１３同士が近接し、張り付いたり、擦れ合う場合が生じうる。すると、上述したように、吹込み口囲い部材１３に擦れ傷が生じるなど損傷する場合が生じうる。
【００２２】
一方で、吹込み口囲い部材１３を通過し他端側から袋状本体１１内部に出力された空気は、すでに流速が弱められるため、袋状本体１１に上述した現象が生じることなく、損傷を防止することができる。これに加え、上記空気によって袋状本体１１を膨らませることができる。このとき、吹込み口囲い部材１３の他端は、袋状本体１１の内壁にふさがれることが抑制されるため、より効率よく空気の封入を行うことができる。
【００２３】
以上のように、高圧のコンプレッサを用いて短時間にて空気を封入することができると共に、空気封入時における袋状本体の破損を抑制することができる。
【実施例２】
【００２４】
次に、本発明の第２の実施例を、図４を参照して説明する。図４（ａ）は、本実施例における吹込み口囲い部材の構成を示す斜視図である。図４（ｂ）は、その断面図である。以下、詳述する。
【００２５】
［構成］
本実施例では、上述したバルーン１の吹込み口囲い部材１３の周囲に、当該吹込み口囲い部材１３自体の強度を増大させる補強部材１４を設けている。この補強部材１４は、図４（ａ）及びその断面図である図４（ｂ）に示すように、円筒状である吹込み口囲い部材１３の内壁面に設けられおり、その長手方向に沿って相互に対面するよう設けられた一対の板状部材１４である。そして、一対の板状部材１４は、例えば、厚紙にて形成されている。
【００２６】
上記一対の板状部材１４の装着方法としては、例えば、吹込み口囲い部材１３の内壁面に板状部材１４を収納する収納ポケット（図示せず）を設けて、この収納ポケットに収納することで装着してもよい。あるいは、単に板状部材１４を吹込み口囲い部材１３の生地自体に貼り付けて装着してもよい。また、吹込み口囲い部材１３の外部に装着されていてもよい。
【００２７】
［動作］
ここで、バルーン１から空気を抜くときの動作について説明する。バルーン１から空気を抜く際には、袋状本体１１内の空気は吹込み口１２に向かって流れるため、吹込み口囲い部材１３には外部から所定の押圧力がかかる。すると、吹込み口囲い部材１３の外周に押圧力がかかり、仮に補強部材１４を設けないと、筒状である吹込み口囲い部材１３の内空間が塞がれる可能性がある。これに対し、本実施例のように補強部材１４を設けた場合には、吹込み口囲い部材１３が押圧力に対抗して内部空洞部を形成した状態を維持することができ、空気を抜く際にも空洞部が塞がれずに、確実に気体を抜くことが可能となる。
【００２８】
従って、上述したように、厚紙などの一対の板状部材１４を設けるといった簡易な構成及び低コストにて、迅速に空気を抜くことができ、収納することができるバルーン１を製造することができる。
【００２９】
なお、補強部材１４は、必ずしも上述した構成であることに限定されない。吹込み口囲い部材１３の周囲に設けられ、外部から押圧力がかかった場合であっても内部空洞部を形成した状態を維持するよう吹込み口囲い部材１３自体を補強できる部材であればよい。
【産業上の利用可能性】
【００３０】
本発明は、店頭広告用バルーンなどに利用することができ、産業上の利用可能性を有する。
【図面の簡単な説明】
【００３１】
【図１】実施例１におけるバルーンの構成を示す斜視図である。
【図２】実施例１におけるバルーンの吹込み口付近の構成を示す部分断面図である。
【図３】実施例１におけるバルーンを膨らます時の様子を示す説明図である。
【図４】実施例２におけるバルーンの吹込み口囲い部材の構成を示す図であり、図４（ａ）は斜視図を、図４（ｂ）は断面図を示す。
【符号の説明】
【００３２】
１  バルーン（気体封入式構造体）
１１  袋状本体
１２  吹き込み口
１３  吹き込み口囲い部材
１４  補強部材（板状部材）
【図１】
2007164012.tif 000003
【図２】
2007164012.tif 000004
【図３】
2007164012.tif 000005
【図４】
2007164012.tif 000006